(57)【要約】【課題】  バスラインがツリー構造を成す場合であっても、自動でアドレス設定が可能なインターホン装置を提供する。【解決手段】  居室親機１に２つのバスライン接続部１１ａ，１１ｂを設け、そのバスライン接続部１１ａ，１１ｂに、接続したバスライン６との接続を遮断するマスタースイッチ１２ａ，１２ｂを設けた。また第１，第２玄関子機２，３、及び第１，第２増設親機４，５には、端末内部でバスライン６を分配して２つの下流側バスライン接続部１６ａ，１６ｂを設け、その下流側バスライン接続部１６ａ，１６ｂに、接続したバスライン６との接続を遮断するスレーブスイッチ１７ａ，１７ｂを設けた。そして、居室親機１のマスターマイコン１ａにより、マスタースイッチ１２ａ，１２ｂ及びスレーブスイッチ１７ａ，１７ｂを制御することで、個々の端末に順次ＩＤを付与させた。【選択図】  図１
2005109571.tif 000002
【特許請求の範囲】
【請求項１】
バスラインを介して接続されたマスター端末と複数のスレーブ端末とを備え、前記バスラインを介して双方向にデータ伝送が可能なインターホン装置であって、
前記マスター端末及びスレーブ端末は、前記バスラインとの接続部のうち、下流側バスラインとの接続部に、バスラインとの接続を遮断するためのバスライン遮断スイッチを備え、前記バスラインをツリー構造とするために、前記マスター端末、複数のスレーブ端末のうち少なくとも１つは、端末内部で前記バスラインを複数に分配して下流側に複数のスレーブ端末を接続可能とし、分配した個々のバスラインに前記バスライン遮断スイッチを備えたことを特徴とするインターホン装置。
【請求項２】
前記マスター端末は、前記スレーブ端末にＩＤを与えるマスターマイコンを有すると共に前記バスライン遮断スイッチとしてマスタースイッチを少なくとも２つ有し、更に前記複数のスレーブ端末の夫々はデータ送受信の機能を備えたスレーブマイコンを有し、前記マスター端末のマスタースイッチに対して夫々スレーブ端末がバスラインを介して接続され、
前記マスターマイコンは、前記マスタースイッチのうちの１つをオンさせて１つのバスラインを接続状態にしてマスター端末に接続されたスレーブ端末のうち、接続状態にある１つのスレーブ端末のスレーブマイコンへＩＤを与え、その後、前記スレーブマイコンからの接続完了コマンドが到着すると前記ＩＤを与えたマスタースイッチをオフ状態、他のマスタースイッチの１つをオン状態にして、次にマスター端末と接続状態にあるスレーブ端末のスレーブマイコンへＩＤを与え、その後、同様の動作をしてマスター端末に接続された全てのスレーブ端末にＩＤを与えたら、マスタースイッチを全てオンして接続状態にし、与えたＩＤを使用して接続された各端末間で相互通信を実施可能とすることを特徴とする請求項１記載のインターホン装置。
【請求項３】
前記マスター端末に接続された複数のスレーブ端末のうち、少なくとも１つは前記バスライン遮断スイッチとしてスレーブスイッチを少なくとも２つ有すると共に、スレーブ端末が夫々バスラインを介して更に接続され、
前記スレーブスイッチを有するスレーブ端末のスレーブマイコンは、前記マスター端末からのコマンドにより、１つのスレーブスイッチをオンして１つのバスラインを接続状態とし、更に接続されたスレーブ端末のうち接続状態にあるスレーブ端末のスレーブマイコンへＩＤを与え、その後、前記マスター端末からのコマンドが到着すると前記オンにしたスレーブスイッチをオフして他のスレーブスイッチの１つをオンし、次に接続状態にあるスレーブ端末にマスター端末からのコマンドによりＩＤを与え、同様にスレーブスイッチを操作して全ての更に接続されたスレーブ端末にＩＤを与え、
接続された全てのスレーブ端末に同様にＩＤを付与したら、全てのマスタースイッチ及びスレーブスイッチをオンして接続状態にし、与えられたＩＤを使用して接続された各端末間で相互通信を実施可能とすることを特徴とする請求項２記載のインターホン装置。
【請求項４】
前記マスター端末は、前記スレーブ端末にＩＤを与えるマスターマイコンを有すると共に前記複数のスレーブ端末の夫々はデータ送受信の機能を備えたスレーブマイコンを有し、
前記マスター端末と接続されたスレーブ端末は前記バスライン遮断スイッチとしてスレーブスイッチを少なくとも２つ有すると共に、夫々スレーブ端末がバスラインを介して更に接続され、前記マスター端末に接続されたスレーブ端末のスレーブマイコンは、前記マスター端末からのコマンドにより、前記スレーブスイッチのうちの１つをオンして、１つのバスラインを接続状態にして、更に接続された前記スレーブ端末のうち接続状態にある１つのスレーブ端末のスレーブマイコンへＩＤを与え、その後、前記マスター端末からのコマンドが到着すると前記オンしたスレーブスイッチをオフ状態、他のスレーブスイッチの１つをオンして、次に接続状態にあるスレーブ端末にマスター端末からのコマンドによりＩＤを与え、同様にスレーブスイッチを操作して全ての更に接続されたスレーブ端末にＩＤを与え、
その後、同様の動作をして接続された全てのスレーブ端末に同様にＩＤを付与したら、全てのスレーブスイッチをオンして接続状態にし、与えられたＩＤを使用して接続された各端末間で相互通信を実施可能とするを特徴とする請求項１記載のインターホン装置。
【請求項５】
前記マスター端末は、パーソナルコンピュータと通信を行うための通信端子を有し、接続したパーソナルコンピュータが前記スレーブ端末の接続状況を表示可能であることを特徴とする請求項１乃至４の何れかに記載のインターホン装置。
【発明の詳細な説明】
【技術分野】
【０００１】
本発明は、玄関子機、居室親機等のインターホン端末を有するインターホン装置に関し、特に接続された各インターホン端末に対して自動でアドレス設定が可能なインターホン装置に関する。
【背景技術】
【０００２】
例えば玄関子機が複数の場合や、増設親機を備えたインターホン装置、或いは拡張型のインターホン装置の場合、１台の居室親機と１台の玄関子機から成るインターホン装置のように１対１で対応しない為、通信先を特定するために各端末にＩＤを設定する必要が生ずる。
従来、このようなインターホン装置を始めとするバスラインを介して接続された端末のＩＤ設定は、各端末にＤＩＰスイッチを設け、端末の設置現場にて利用者或いは設置業者がそのＤＩＰスイッチを操作して手動で実施したり、特許文献１に示すように、自動設定するものがあった。
【特許文献１】特開平９−１１６５６５号公報
【発明の開示】
【発明が解決しようとする課題】
【０００３】
しかし、現場にて設定する形態は、ＩＤ設定を間違えやすく、同じＩＤを設定してしまうと、正常に通信できずに誤動作や混乱を招いてしまう。また、特許文献１に示すような自動設定形態は、各端末を１本のバスラインに直列に接続した場合のみ有効であり、バスラインがツリー構造の場合適用できなかった。
インターホン装置の場合、各端末を直列接続しようとすると、例えば図２（ａ）に示すように各端末は接続される。図２において２０は住戸、２１はインターホン端末、２２はバスラインを示し、この場合、バスライン２２の引き回しが厄介であり、特にインターホン端末２１を増設する場合、介在させようとするバスライン２２上の位置の前後２つのインターホン端末２１からバスライン２２を引き出さなければ成らず、作業者に大きな負担となっていた。
その点ツリー構造であれば、図３（ｂ）に示すように、最も近い１つのインターホン端末２１からバスライン２２を引き出して接続すれば良く、接続作業が大幅に軽減される。そのため、ツリー構造で各インターホン端末が接続された場合でも、ＩＤを自動設定できるインターホン装置が望まれていた。
そこで、本発明は、上記問題点に鑑み、バスラインがツリー構造を成す場合であっても、自動でアドレス設定が可能なインターホン装置を提供することを目的とする。
【課題を解決するための手段】
【０００４】
上記課題を解決するため、請求項１の発明は、バスラインを介して接続されたマスター端末と複数のスレーブ端末とを備え、バスラインを介して双方向にデータ伝送が可能なインターホン装置であって、マスター端末及びスレーブ端末は、バスラインとの接続部のうち、下流側バスラインとの接続部に、バスラインとの接続を遮断するためのバスライン遮断スイッチを備え、バスラインをツリー構造とするために、マスター端末、複数のスレーブ端末のうち少なくとも１つは、端末内部でバスラインを複数に分配して下流側に複数のスレーブ端末を接続可能とし、分配した個々のバスラインにバスライン遮断スイッチを備えたことを特徴とする。
この構成により、ツリー構造のバスラインを介して端末を接続できるので、玄関子機、居室親機及び増設親機等を全て直列に接続する必要が無くなり、設置工事、特にバスラインの配設自由度が増して工事が格段に簡易になる。そして、バスライン遮断スイッチを操作することでマスター端末と通信できる端末を選択でき、マスター端末により個々のスレーブ端末にＩＤを付与することが可能となる。
尚、マスター端末とは、接続される他の端末にＩＤを付与する機能を備えた例えば居室親機のようなインターホン端末を言い、スレーブ端末とは、マスター端末によりＩＤが付与される例えば増設親機或いは玄関子機のようなインターホン端末を言う。
【０００５】
請求項２の発明は、請求項１の発明において、マスター端末は、スレーブ端末にＩＤを与えるマスターマイコンを有すると共にバスライン遮断スイッチとしてマスタースイッチを少なくとも２つ有し、更に複数のスレーブ端末の夫々はデータ送受信の機能を備えたスレーブマイコンを有し、マスター端末のマスタースイッチに対して夫々スレーブ端末がバスラインを介して接続され、マスターマイコンは、マスタースイッチのうちの１つをオンさせて１つのバスラインを接続状態にしてマスター端末に接続されたスレーブ端末のうち、接続状態にある１つのスレーブ端末のスレーブマイコンへＩＤを与え、その後、スレーブマイコンからの接続完了コマンドが到着するとＩＤを与えたマスタースイッチをオフ状態、他のマスタースイッチの１つをオン状態にして、次にマスター端末と接続状態にあるスレーブ端末のスレーブマイコンへＩＤを与え、その後、同様の動作をしてマスター端末に接続された全てのスレーブ端末にＩＤを与えたら、マスタースイッチを全てオンして接続状態にし、与えたＩＤを使用して接続された各端末間で相互通信を実施可能とすることを特徴とする。
この構成により、マスター端末に複数のスレーブ端末を接続でき、接続された各スレーブ端末に対してマスター端末は自動でＩＤを付与できる。
【０００６】
請求項３の発明によれば、請求項２の発明において、マスター端末に接続された複数のスレーブ端末のうち、少なくとも１つはバスライン遮断スイッチとしてスレーブスイッチを少なくとも２つ有すると共に、スレーブ端末が夫々バスラインを介して更に接続され、スレーブスイッチを有するスレーブ端末のスレーブマイコンは、マスター端末からのコマンドにより、１つのスレーブスイッチをオンして１つのバスラインを接続状態とし、更に接続されたスレーブ端末のうち接続状態にあるスレーブ端末のスレーブマイコンへＩＤを与え、その後、マスター端末からのコマンドが到着するとオンにしたスレーブスイッチをオフして他のスレーブスイッチの１つをオンし、次に接続状態にあるスレーブ端末にマスター端末からのコマンドによりＩＤを与え、同様にスレーブスイッチを操作して全ての更に接続されたスレーブ端末にＩＤを与え、接続された全てのスレーブ端末に同様にＩＤを付与したら、全てのマスタースイッチ及びスレーブスイッチをオンして接続状態にし、与えられたＩＤを使用して接続された各端末間で相互通信を実施可能とすることを特徴とする。
この構成により、マスター端末に加えてマスター端末に接続されたスレーブ端末も複数のスレーブ端末を接続でき、配線の自由度が更に増し、接続された全てのスレーブ端末に対してはマスター端末は自動でＩＤを付与できる。
【０００７】
請求項４の発明は、請求項１の発明において、マスター端末は、スレーブ端末にＩＤを与えるマスターマイコンを有すると共に複数のスレーブ端末の夫々はデータ送受信の機能を備えたスレーブマイコンを有し、マスター端末と接続されたスレーブ端末はバスライン遮断スイッチとしてスレーブスイッチを少なくとも２つ有すると共に、夫々スレーブ端末がバスラインを介して更に接続され、マスター端末に接続されたスレーブ端末のスレーブマイコンは、マスター端末からのコマンドにより、スレーブスイッチのうちの１つをオンして、１つのバスラインを接続状態にして、更に接続されたスレーブ端末のうち接続状態にある１つのスレーブ端末のスレーブマイコンへＩＤを与え、その後、マスター端末からのコマンドが到着するとオンしたスレーブスイッチをオフ状態、他のスレーブスイッチの１つをオンして、次に接続状態にあるスレーブ端末にマスター端末からのコマンドによりＩＤを与え、同様にスレーブスイッチを操作して全ての更に接続されたスレーブ端末にＩＤを与え、その後、同様の動作をして接続された全てのスレーブ端末に同様にＩＤを付与したら、全てのスレーブスイッチをオンして接続状態にし、与えられたＩＤを使用して接続された各端末間で相互通信を実施可能とすることを特徴とする。
この構成により、マスター端末に接続されたスレーブ端末に更に複数のスレーブ端末を接続でき、接続された全てのスレーブ端末に対してマスター端末は自動でＩＤを付与できる。
【０００８】
請求項５の発明は、請求項１乃至４の何れかの発明において、マスター端末は、パーソナルコンピュータと通信を行うための通信端子を有し、接続したパーソナルコンピュータがスレーブ端末の接続状況を表示可能であることを特徴とする。
この構成により、各端末の接続状況を容易にチェックできる。
【発明の効果】
【０００９】
このように、本発明によれば、インターホン装置を構成する各端末をツリー接続しても、各端末に自動でＩＤを付与できるので、作業者が端末毎にＩＤを設定する手間が必要無くなるし、間違ったＩＤを付与するようなこともなくなる。また、パーソナルコンピュータを用いて、接続された各端末の接続状況を容易にチェックできる。
【発明を実施するための最良の形態】
【００１０】
以下、本発明を具体化した実施の形態を、図面に基づいて詳細に説明する。図１は本発明に係るインターホン装置の実施形態の一例を示すブロック図であり、１はマスター端末としての居室親機、２はスレーブ端末としての第１玄関子機、３はスレーブ端末としての第２玄関子機、４はスレーブ端末としての第１増設親機、５はスレーブ端末としての第２増設親機を示し、居室親機１に、第１組のスレーブ端末として第１玄関子機２、第２玄関子機３が接続され、第１玄関子機２に第２組のスレーブ端末として第１増設親機４、第２増設親機５が接続され、マスター端末である居室親機１にスレーブ端末が２組バスライン６を介してツリー構造で接続されている。また、７は居室親機１と通信が可能なパーソナルコンピュータ（以下、単にパソコンとする。）である。
【００１１】
居室親機１は、居室親機１を制御するマイコン１ａ、２つのバスライン接続部１１ａ，１１ｂ、バスライン６との信号の送受を遮断するバスライン遮断スイッチとしての２つのマスタースイッチ１２ａ，１２ｂ、そしてパソコン７を接続するための通信端子１３を備え、マイコン１ａは、接続されたスレーブ端末のＩＤを設定するマスターマイコンとして動作し、居室親機１により各スレーブ端末のＩＤ設定ができる。
【００１２】
スレーブ端末である第１玄関子機２、第２玄関子機３、第１増設親機４、そして第２増設親機５は、順にマイコン２ａ，３ａ，４ａ，５ａを備えている。また、上流側バスライン６を接続する１つの上流側バスライン接続部１５、下流側バスライン６と接続する２つの下流側バスライン接続部１６ａ，１６ｂ、下流側バスライン接続部１６ａ，１６ｂをバスラインから遮断するためのバスライン遮断スイッチとしてのスレーブスイッチ１７を個々の下流側バスライン接続部に対して計２つ（１７ａ，１７ｂ）備え、マイコン２ａ，３ａ，４ａ，５ａは夫々のスレーブ端末を制御すると共に居室親機１との間でデータの送受信を制御するスレーブマイコンとして動作する。
尚、居室親機１、第１増設親機４及び第２増設親機５は第１玄関子機２或いは第２玄関子機３と通話するためのマイク及びスピーカを備え、第１及び第２玄関子機２，３は、呼出ボタン、居室親機と通話するためのマイク及びスピーカを備えているが、ここでは省略している。
【００１３】
このように構成したインターホン装置の各インターホン端末（スレーブ端末）のＩＤ設定は以下のように成される。電源オン時に、居室親機１のマイコン（以下、マスターマイコンと称する。）１ａは、一方のマスタースイッチ１２ａをオン状態、即ち居室親機１と一方の下流側バスライン６に接続された例えば第１玄関子機２と接続状態とし、同時に他方のマスタースイッチ１２ｂをオフ状態、即ち他方の下流側バスライン６と接続された第２玄関子機３と遮断状態とする。そして、マスターマイコン１ａはＩＤ信号を出力する。このＩＤ情報は、接続状態にある第１玄関子機２のマイコン（以下、スレーブマイコンと称する。）２ａのみが受信でき、第１玄関子機２は夫れを自身のＩＤ情報として受け取り、ＩＤが付与される。
次に、マスターマイコン１ａは一方のマスタスイッチ１２ａをオフ状態、他方のマスタスイッチ１２ｂをオン状態にして居室親機１に接続された他方のスレーブ端末である第２玄関子機３に同様にＩＤを与える。こうして、第１組のスレーブ端末のＩＤが自動に正しく設定される。
【００１４】
その後、第２組のスレーブ端末のＩＤ設定に移る。第１組のＩＤ設定が終了したら、２つのマスタースイッチ１２ａ，１２ｂは常時オンの状態とする。そして、第１玄関子機２のスレーブマイコン２ａは、マスターマイコン１ａへスレーブスイッチ１７の数を送信する（ここでは、スレーブスイッチ１７は２つであるのでその旨送信する）。
マスターマイコン１ａは、スレーブスイッチの数を受信したら、スレーブマイコン２ａへ、例えば第１増設親機４が接続された一方のスレーブスイッチ１７ａをオン状態として、第２増設親機５が接続された他方のスレーブスイッチ１７ｂをオフ状態とするようコマンドを送信する。第１玄関子機２のスレーブマイコン２ａは、そのコマンドを受信したら、第１増設親機４が接続されたスレーブスイッチ１７ａをオンし、他方のスレーブスイッチ１７ｂをオフする。
【００１５】
そして、マスターマイコン１ａは、第１玄関子機２或いは第２玄関子機３に与えたＩＤとは別のＩＤをバスライン６に出力する。このＩＤは、この時点でバスライン６に接続されている全てのスレーブマイコン、ここでは第１及び第２玄関子機２，３、第１増設親機４の各スレーブマイコン２ａ，３ａ，４ａが受信するが、既にＩＤを取得している第１及び第２玄関子機２，３のスレーブマイコン２ａ，３ａはその情報を無視する。そのため、ＩＤの設定が成されていない第１増設親機４のスレーブマイコン４ａが、受信したＩＤを自分のＩＤとして取得する。
【００１６】
その後、マスターマイコン１ａは、第１玄関子機２へ、第１増設親機４が接続されているバスライン６のスレーブスイッチ１７ａをオフし、第２増設親機５が接続されているバスライン６のスレーブスイッチ１７ｂをオンするコマンドを送信して、同様に第２増設親機５のスレーブマイコン５ａのＩＤを設定する。
次に、第２玄関子機３のスレーブマイコン３ａは、マスターマイコン１ａへスレーブスイッチ１７の数を送信する（ここでは、スレーブスイッチ１７は２つであるのでその旨送信する）。
マスターマイコン１ａは、スレーブスイッチ１７の数を受信したら、スレーブマイコン３ａへ、例えば一方のスレーブスイッチ１７ａをオン状態として、他方のスレーブスイッチ１７ｂをオフ状態とするようコマンドを送信する。第１玄関子機２のスレーブマイコン２ａは、そのコマンドを受信したら、スレーブスイッチ１７ａをオンし、他方のスレーブスイッチ１７ｂをオフする。
【００１７】
そして、マスターマイコン１ａは、第１玄関子機２或いは第２玄関子機３或いは第１増設親機４或いは第２増設親機5に与えたＩＤとは別のＩＤをバスライン６に出力する。このＩＤは、この時点でバスライン６に接続されている全てのスレーブマイコン、ここでは第１及び第２玄関子機２，３、第１及び第２増設親機４，５の各スレーブマイコン２ａ、３ａ、４ａ、５ａが受信するが、接続されている全てのスレーブマイコン２ａ、３ａ、４ａ、５ａはその情報を無視する。そのため、マスターマイコン１ａは、スレーブマイコン３ａのスレーブスイッチ１７ａの先には端末が接続されていないことを把握する。その後、マスターマイコン１ａは、第２玄関子機３へ、バスライン６のスレーブスイッチ１７ａをオフし、バスライン６のスレーブスイッチ１７ｂをオンするコマンドを送信して、同様にスレーブスイッチ１７ｂの先には端末が接続されていないことを把握する。
【００１８】
その後、第３組のスレーブ端末のＩＤ設定に移る。第１増設親機４のスレーブマイコン４ａは、マスターマイコン１ａへスレーブスイッチ１７の数を送信する（ここでは、スレーブスイッチ１７は２つであるのでその旨送信する）。マスターマイコン１ａは、スレーブスイッチの数を受信したら、スレーブマイコン３ａと同様の手順でコマンドを送信し、スレーブマイコン４ａのスレーブスイッチ１７ａ、スレーブスイッチ１７ｂの先には端末が接続されていないことを把握する。
【００１９】
次に、第２増設親機５のスレーブマイコン５ａは、マスターマイコン１ａへスレーブスイッチ１７の数を送信する（ここでは、スレーブスイッチ１７は２つであるのでその旨送信する）。マスターマイコン１ａは、スレーブスイッチ１７の数を受信したら、スレーブマイコン３ａと同様の手順でコマンドを送信し、スレーブマイコン５ａのスレーブスイッチ１７ａ、スレーブスイッチ１７ｂの先には端末が接続されていないことを把握する。こうして、自動に正しいＩＤを順次設定できる。
そして、こうして居室親機１に接続された全てのスレーブ端末のＩＤ設定が終了したら、全てのマスタースイッチ１２及び全てのスレーブスイッチ１７をオン状態とすることで全ての端末間でデータ伝送が実施でき、相互に通信が可能となる。また、居室親機１に接続されたパソコン７により、マスターマイコン１ａと通信を行って個々のスレーブマイコン２ａ〜５ａの接続状況を受信して表示することで、スレーブ端末２〜５の接続状況を視覚的に確認でき、接続状況のチェックを容易に実施できる。
【００２０】
こうして、ツリー構造のバスラインを介してインターホン端末を接続できるので、玄関子機、居室親機及び増設親機等全ての機器を直列に接続する必要が無くなり、設置工事、特にバスラインの線配設工事が格段に簡易になる。
そして、マスター端末及びスレーブ端末の双方に下流側バスライン接続部を複数設けることで、複数のスレーブ端末を容易に接続でき、接続の自由度が大きくなる。また、そのバスライン接続部に対して夫々バスライン遮断スイッチを設けることで、接続された各スレーブ端末に対してマスター端末により自動でＩＤを付与でき、作業者が端末夫々にＩＤを設定する手間が必要無くなるし、間違ったＩＤを付与するようなこともなくなる。
【００２１】
尚、上記実施形態では、スレーブ端末を４台としているが、更にバスラインの下流側に接続して増設することもできるし、マスター端末やスレーブ端末のバスライン遮断スイッチの数を増やすことで、スレーブ端末の並列接続数を増やすこともできる。また、スレーブ端末は、上記以外に、防犯用に設置されたテレビカメラ装置であっても良い。
また、マスター端末を居室親機としているが、他のインターホン端末、例えば制御専用のインターホン制御装置を設置してマスター端末とすることもできる。
更に、全ての端末を下流側バスラインを複数接続できる形態としているが、スレーブ端末を複数並列接続することのない端末は、下流側バスラインを接続するバスライン接続部は１つだけのものでも良いし、下流側バスライン接続部を持たず、スレーブ端末を下流側に接続することのない端末を末端端末として接続しても良い。
【図面の簡単な説明】
【００２２】
【図１】本発明に係るインターホン装置の実施形態の一例を示すブロック図である。
【図２】インターホン装置の各端末の接続形態の説明図で、（ａ）は直列接続した場合、（ｂ）はツリー接続した場合を示している。
【符号の説明】
【００２３】
１・・居室親機（マスター端末）、１ａ・・マイコン（マスターマイコン）、２・・第１玄関子機（スレーブ端末）、２ａ・・マイコン（スレーブマイコン）３・・第２玄関子機（スレーブ端末）、３ａ・・マイコン（スレーブマイコン）、４・・第１増設親機（スレーブ端末）、４ａ・・マイコン（スレーブマイコン）、５・・第２増設親機（スレーブ端末）、５ａ・・マイコン（スレーブマイコン）６・・バスライン、７・・パーソナルコンピュータ、１１ａ，１１ｂ・・バスライン接続部、１２ａ，１２ｂ・・マスタースイッチ（バスライン遮断スイッチ）、１３・・通信端子、１５・・上流側バスライン接続部、１６ａ，１６ｂ・・下流側バスライン接続部、１７ａ，１７ｂ・・スレーブスイッチ（バスライン遮断スイッチ）。
【図１】
2005109571.tif 000003
【図２】
2005109571.tif 000004